(57)【要約】【課題】迅速に異常状態を把握することができる監視システムを提供する。【解決手段】楽曲データベース６が有する複数の楽曲データ７から任意の楽曲データ７を選出する楽曲選出手段と、任意の警報メッセージを入力できる入力手段４と、入力手段４で入力されたメッセージを発音した音声データとする音声生成手段５と、楽曲選出手段８により選出された楽曲データ７と音声生成手段５により生成された音声データとを関連付けて登録する登録手段９と、登録手段９で登録されたデータを警報手段１０で再生する監視システム。【選択図】図１
2019114216.tif 000002
【特許請求の範囲】
【請求項１】
監視対象の情報を読み込み予め設定した制限値を逸脱した場合に音楽データを警報音として再生する警報手段を有する監視システムにおいて、
複数の楽曲データを有する楽曲データベースと、
前記楽曲データベースが有する前記複数の楽曲データから任意の楽曲データを選出する楽曲選出手段と、
任意の警報メッセージを入力できる入力手段と、
前記入力手段で入力されたメッセージを発音した音声データとする音声生成手段と、
前記楽曲選出手段により選出された楽曲データと前記音声生成手段により生成された音声データとを関連付けて音楽データとして登録する登録手段と、
前記登録手段で登録された音楽データを前記警報手段で再生する監視システム。
【請求項２】
前記入力手段はマイクで、音声を警報メッセージとして入力できる請求項１に記載の監視システム。
【請求項３】
前記入力手段はキーボードで、任意の文字列を警報メッセージとして入力できる請求項１に記載の監視システム。
【請求項４】
前記楽曲選出手段は前記複数の楽曲データからランダムに楽曲データを選出する請求項１乃至請求項３のいずれか１項に記載の監視システム。
【請求項５】
前記楽曲データはＡメロ、Ｂメロ、サビなどの特定区間で区切られている請求項１乃至請求項４のいずれか１項に記載の監視システム。
【発明の詳細な説明】
【技術分野】
【０００１】  本発明の実施形態は、プラント等の監視システムに係り、特に警報音やプラント等の状況を音声で通知することによりプラント等の状況を把握することが可能な監視システムに関する。
【背景技術】
【０００２】  近年、プラント等の監視システムにおける警報音の通知方法の一種として、予め入力した任意の文字列を音声（ボイスアラームメッセージ）で出力する機能が用いられている（例えば、特許文献１参照）。
【先行技術文献】
【特許文献】
【０００３】
【特許文献１】特開２００３−５８２４９号公報
【発明の概要】
【発明が解決しようとする課題】
【０００４】  プラント等の異常状態を通知するための警報としてボイスアラームメッセージが発報されたとき、警報の詳細情報を把握するためにはボイスアラームメッセージを最後まで聞く必要があるのが一般的である。しかしながら、重大な警報は早急な対応が必要となるにも関わらずボイスアラームメッセージを聞く必要があるため瞬時に状況を把握できないという問題がある。【０００５】  本実施形態は、上記のような従来技術の問題点を解決するために提案されたものである。本実施形態の目的は、迅速に異常状態を把握することができる監視システムを提供することにある。
【課題を解決するための手段】
【０００６】  実施形態に係る監視システムは、監視対象の情報を読み込み予め設定した制限値を逸脱した場合に音楽データを警報音として再生する警報手段を有する。複数の楽曲データを有する楽曲データベースと、前記楽曲データベースが有する前記複数の楽曲データから任意の楽曲データを選出する楽曲選出手段と、任意の警報メッセージを入力できる入力手段と、前記入力手段で入力されたメッセージを発音した音声データとする音声生成手段と、前記楽曲選出手段により選出された楽曲データと前記音声生成手段により生成された音声データとを関連付けて音楽データとして登録する登録手段と、前記登録手段で登録された音楽データを前記警報手段で再生する。
【図面の簡単な説明】
【０００７】
【図１】本発明の第１の実施形態を示すシステム構成図。
【発明を実施するための形態】
【０００８】  （第１の実施形態）
以下、本発明に係る第１の実施形態について図１を参照して説明する。図１は本発明の第１の実施形態を示すシステム構成図で、監視対象としてプラントを想定している。
【０００９】  現場機器１は、温度や流量などを測定するセンサや、ポンプ、バルブなどのアクチュエータを示す。現場機器制御手段２は、現場機器１の例えばセンサからの情報を入力し、現場機器１のアクチュエータに対して運転／停止や開／閉の指令を与える。現場機器１からの各種データに基づき、予め登録されている監視制御プログラムを起動させて制御信号を生成し、監視、制御対象となる現場機器１を制御し、プラント等の運転をコントロールする。現場機器制御手段２は、例えばＰＬＣ（Ｐｒｏｇｒａｍｍａｂｌｅ  Ｌｏｇｉｃ  Ｃｏｎｔｒｏｌｌｅｒ）を使うことによって実現することができ、現場機器１との信号のやり取りは、ＤＣ４〜２０ｍＡ電流信号やＤＣ１〜５Ｖ電圧信号といった電気信号によるものやＲＳ−４８５などのシリアルインターフェースといった通信信号などが使用できる。
【００１０】  監視システム３は、例えば、通常のコンピュータで、ＣＰＵ、メモリ、ディスク（不揮発メモリ）、インターフェース、等より成り、キーボードやマウス、マイク等の入力手段４やＣＲＴ装置や液晶モニタなどの表示装置や警報音などの音を出力するスピーカ等からなる出力手段（不図示）で構成されている。また監視システム３は、Ｅｔｈｅｒｎｅｔ（登録商標）等のデータ通信方式により現場機器制御手段２と接続され、現場機器１のセンサからのプロセス値を取り込み表示装置等に表示し、入力手段４から入力した指令を現場機器１のアクチュエータに与え、動作させることができる。
【００１１】  また、監視システム３は、現場機器１からのプロセス値を解析して予め設定されている警報条件が満たされているかどうかを判定し、警報条件が満たされているとき、警報情報を生成するとともに、表示装置等に備えられた出力手段から警報発生を知らせる警報音や警報メッセージを音声で通知するボイスアラームメッセージを発報する機能を有する。これは、例えば監視システム３は通常のコンピュータなので、プログラムを構築したり、ソフトウェアを実行することにより実現できる。どの警報信号に対して、どのボイスアラームメッセージを発報するかを管理したり、表示装置等へボイスアラームメッセージを出力するのは警報手段１０で行う。
【００１２】  警報手段１０は、通常のコンピュータである監視システム３の一部の機能であり、例えばｍｐ３、ｍｐ４、ｗａｖなどの一般的に使用されている音声や動画の拡張子を持つ音楽データのファイルを再生ソフトウェアで実行することによりボイスアラームメッセージを音声として表示装置等から出力する。どの警報信号に対して、どのボイスアラームメッセージを発報するかを予め登録して紐付けて管理することにより、警報内容に応じた適切なボイスアラームメッセージを出力することができる。
【００１３】  音声生成手段５は、入力手段４から入力された情報から音声データのファイルを生成する。例えば、入力手段４がマイクなら、マイクから入力された音声を録音しｍｐ３、ｍｐ４、ｗａｖなどの一般的に使用されている音声ファイルフォーマットの拡張子を持つファイルを生成する。入力手段４がキーボードやマウス、タッチパネル式の画面キー等で、日本語や英語等の言語を入力することができるものであれば、入力されたテキストや、テキストを保存した任意のテキストファイルを音声合成で読み上げる音声合成ソフトウェアを用いて音声ファイルを生成する。よって、音声生成手段５により任意のボイスアラームメッセージを音声データとして生成することができる。
【００１４】  次に楽曲について説明する。楽曲データベース６は、クラシックやジャズ、ポピュラーソングなど音楽ジャンルを問わず、ｍｐ３、ｍｐ４、ｗａｖなどの一般的に使用されている音楽ファイルフォーマットの拡張子を持つファイルで構成される複数の楽曲データ７として保存されている。これらの楽曲データ７であるファイルは、楽曲データベース６にファイルのアドレスを格納するなどの手段で管理する。楽曲データベース６は、オープンソースでＳＱＬに対応したリレーショナルデータベースを使用すると勝手が良くなる。例えば、Ｏｒａｃｌｅ、Ｍｉｃｒｏｓｏｆｔ  ＳＱＬ  Ｓｅｒｖｅｒ、Ｍｙ  ＳＱＬなどが挙げられるが、規模によって使い分けることができる。
【００１５】  楽曲選出手段８は、楽曲データベース６に保存されている複数の楽曲データ７から、任意の楽曲データ７を選出する。例えば、楽曲データ７に含まれる各楽曲に番号を振っておき、乱数を用いた数式で計算をし、楽曲をランダムに選出する。このように選出する方法としてはランダムに選出しても良いし、ファイル名のソート順に上から選出しても良く、選出方法は適宜、決めることができる。
【００１６】  登録手段９は、音声生成手段５で生成された音声データと、楽曲選出手段９で選曲された楽曲データ７を、警報対象や警報条件と紐付けるような登録をする。紐付けるとは、例えば、警報対象や警報条件に個別の英数字、拡張子などを含むタグナンバーが付与されている場合は、タグナンバーとの関連を示す登録を行う。これにより、警報対象の警報条件が満たされた場合、楽曲選出手段８で選曲された楽曲データ７と音声生成手段５で生成された音声データが警報手段１０により同時に再生される。つまり音楽とともにボイスアラームメッセージが流れることになる。
【００１７】  上記では、楽曲データと音声データが別々にあり、それらを音楽データとして同時に再生する方法を示したが、一般的なムービーメーカーと呼ばれるソフトウェアを用いれば、楽曲データと音声データを合成して音楽データを生成することができ、音楽にのせて音声をナレーションのような形で１つのファイルとして再生することも可能である。
【００１８】  警報手段１０によって警報が再生されるシーンとしては、監視対象の値が規定の範囲を逸脱したときなどが挙げられ、上限警報、下限警報、上上限警報、下下限警報などがある。軽故障警報、重故障警報、システムアラームなどもある。ボイスアラームメッセージとしては、例えば、「第１プラント、ポンプ軽故障」や「第１プラント、ポンプ上限警報」などがある。
【００１９】  このように、警報と音楽を組み合わせることで、例えば、同じ警報が繰り返し発報されるものであれば、オペレータの学習により、該当する音楽の一部を聞いただけでボイスアラームメッセージを最後まで聞かなくとも警報内容を把握することができ、次の対処を迅速に行えるという効果がある。また、警報内容と割り当てられた音楽との組み合わせを予め把握していれば、繰り返し発報されることが無いような警報についても該当する音楽の一部を聞いただけで警報内容を把握することができ、次の対処を迅速に行うことができる。
【００２０】  このとき、楽曲選出手段８は、登録手段９で使用済の楽曲は除外して選曲を行い、重複を避けた登録をした方が、上記効果が得られやすいのは言うまでもない。
【００２１】  （第２の実施形態）
楽曲データ７は、ｍｐ３、ｍｐ４、ｗａｖなどの一般的に使用されている音声や動画の拡張子を持つファイルであるが、個々のファイルには、サビ、Ａメロ、Ｂメロなど、楽曲の特徴的な区間で登録されていても良い。そうすれば音楽の違いを認識するのが早まり、より迅速な対応に結び付けられるという効果がある。
【００２２】  （その他の実施形態）
各楽曲データ７は、ボーカル音声は入っていないものが望ましい。つまり、ボーカル音声とボイスアラームメッセージとの混同を防止するためである。従って、元からボーカル音声が入っていない演奏の楽曲データを用いれば良く、あるいはボーカル音声が入った楽曲データでも、サウンドマスキングの技術を用いることにより、演奏部分だけを抽出することで、ボーカル音声が入っていない楽曲データと同様の役割を果たすことができる。
【００２３】  音声生成手段５は、入力手段４から得られる読み仮名の文字列を元に音声を生成する。変換した音声を聞きやすくするために、イントネーションの修正を行っても良い。イントネーションは、自然な標準語のイントネーションだけではなく、地域によって異なる方言のイントネーションをデータベース化したものを用いて修正を行っても良い。例えば、京都弁、津軽弁など、方言が特徴的な地域のデータベースを利用すると、その地域の方々にとって馴染みやすい警報音を作成できる。日本語以外の言語の実装も既存の翻訳技術を使用すれば可能となる。
【００２４】  以上、本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】１・・・現場機器
２・・・現場機器制御手段
３・・・監視システム
４・・・入力手段
５・・・音声生成手段
６・・・楽曲データベース
７・・・楽曲データ
８・・・楽曲選曲手段
９・・・登録手段
１０・・・警報手段
【図１】
2019114216.tif 000003